(57)【要約】【課題】本体と操作部との通信状態に応じて操作部が表示する情報を変更できる情報処理装置を提供すること。【解決手段】本体１０と本体を操作する操作部２０とを有する情報処理装置１００であって、前記操作部は、前記本体と無線通信する無線通信手段３４と、前記無線通信手段と前記本体との無線通信による通信状態に応じて表示する情報を決定する情報決定手段３２と、前記情報決定手段が決定した前記情報を表示装置に表示する表示制御手段３１と、を有することを特徴とする。【選択図】図５
2019164208.tif 000002
【特許請求の範囲】
【請求項１】
本体と前記本体を操作する操作部とを有する情報処理装置であって、
前記操作部は、
前記本体と無線通信する無線通信手段と、
前記無線通信手段と前記本体との無線通信による通信状態に応じて表示する情報を決定する情報決定手段と、
前記情報決定手段が決定した前記情報を表示装置に表示する表示制御手段と、
を有することを特徴とする情報処理装置。
【請求項２】
前記通信状態は、前記操作部と前記本体が無線通信している接続状態、又は、前記操作部と前記本体が無線通信していない切断状態であり、
前記表示制御手段は、前記接続状態か又は前記切断状態かによって異なる情報を表示装置に表示することを特徴とする請求項１に記載の情報処理装置。
【請求項３】
前記通信状態は無線通信における電波強度であり、
前記表示制御手段は、無線通信における電波強度値に応じた情報を表示装置に表示することを特徴とする請求項２に記載の情報処理装置。
【請求項４】
前記操作部が前記本体と第一の距離以上離れていると判断できる前記電波強度値を前記情報決定手段が検出した場合、
前記表示制御手段は、前記操作部に対する操作を受け付けない画面を前記表示装置に表示することを特徴とする請求項３に記載の情報処理装置。
【請求項５】
前記操作部に対する操作を受け付けない画面が表示されてから所定時間が経過した場合、前記情報決定手段は、前記操作部と前記本体との無線通信を切断することを特徴とする請求項４に記載の情報処理装置。
【請求項６】
前記操作部と前記本体が前記切断状態であり、更に、前記操作部と前記本体とが操作に適さない第一の距離以上離れていると判断できる前記電波強度値を前記情報決定手段が検出した場合、
前記表示制御手段は、前記操作部と前記本体との無線通信の接続を促す旨を前記表示装置に表示することを特徴とする請求項３〜５のいずれか１項に記載の情報処理装置。
【請求項７】
前記操作部と前記本体が前記切断状態であり、更に、前記操作部と前記本体との距離が操作に適した第二の距離にあると判断できる前記電波強度値を前記情報決定手段が検出した場合、
前記表示制御手段は、前記操作部と前記本体とを無線通信で接続させる接続ボタンを前記表示装置に表示し、
前記操作部と前記本体が前記接続状態であり、更に、前記操作部と前記本体との距離が操作に適した第二の距離にあると判断できる前記電波強度値を前記情報決定手段が検出した場合、
前記表示制御手段は、前記操作部に対する操作を受け付けない画面を非表示にすることを特徴とする請求項３〜６のいずれか１項に記載の情報処理装置。
【請求項８】
前記操作部と前記本体が前記切断状態又は前記接続状態であり、更に、前記操作部と前記本体とが第三の距離未満に接近したと判断できる前記電波強度値を前記情報決定手段が検出した場合、
前記表示制御手段は、前記操作部を前記本体に取り付ける取付方法に関する情報を前記表示装置に表示することを特徴とする請求項３〜７のいずれか１項に記載の情報処理装置。
【請求項９】
本体と、前記本体を操作する操作部を有する情報処理システムであって、
前記操作部は、
前記本体と無線通信する無線通信手段と、
前記無線通信手段と前記本体との無線通信による通信状態に応じて表示する情報を決定する情報決定手段と、
前記情報決定手段が決定した前記情報を表示装置に表示する表示制御手段と、
を有することを特徴とする情報処理システム。
【請求項１０】
本体と操作部を有する情報処理装置が行う情報表示方法であって、
前記操作部は、
無線通信手段が前記本体と無線通信するステップと、
情報決定手段が、前記無線通信手段と前記本体との無線通信による通信状態に応じて表示する情報を決定するステップと、
表示制御手段が、前記情報を決定するステップで決定された前記情報を表示装置に表示するステップと、
を有することを特徴とする情報表示方法。
【発明の詳細な説明】
【技術分野】
【０００１】
本発明は、情報処理装置、情報処理システム、及び、情報表示方法に関する。
【背景技術】
【０００２】
情報処理装置の操作部を本体から取り外して持ち運び可能にし、遠隔からの操作を可能にした各種の情報処理装置が知られている。例えば、複合機においても操作部を複合機の本体から取り外し可能にして利便性を向上させたり異機種間で共通の操作部を用いたりすることなどによりコストを低減する試みがあり、本体から操作部を取り外せる複合機の開発が検討されている。
【０００３】
このような複合機において本体に対する操作部の位置を検出し操作部の位置に応じて、操作部が表示する表示内容を変更する技術が考案されている（例えば、特許文献１参照。）。特許文献１には、操作部が本体の側面にあると認識される場合、本体正面への移動を促すメッセージを表示する複合機について開示されている。
【発明の概要】
【発明が解決しようとする課題】
【０００４】
しかしながら、従来の技術では、本体と操作部との通信状態に応じて操作部が表示する情報を変更できないという問題があった。例えば、本体と操作部の距離が長くなり、無線通信が切断された場合、ユーザは再度、接続する手順がわからない。また、ユーザが操作部を本体に取り付けようとした場合に、取り付け方がわからないこともあり得る。このような状況を、通信状態で検出して操作部が適切な情報を表示できれば操作性が向上すると期待できる。
【０００５】
本発明は、上記課題に鑑み、本体と操作部との通信状態に応じて操作部が表示する情報を変更できる情報処理装置を提供することを目的とする。
【課題を解決するための手段】
【０００６】
上記課題に鑑み、本発明は、本体と前記本体を操作する操作部とを有する情報処理装置であって、前記操作部は、前記本体と無線通信する無線通信手段と、前記無線通信手段と前記本体との無線通信による通信状態に応じて表示する情報を決定する情報決定手段と、前記情報決定手段が決定した前記情報を表示装置に表示する表示制御手段と、を有することを特徴とする。
【発明の効果】
【０００７】
本体と操作部との通信状態に応じて操作部が表示する情報を変更できる情報処理装置を提供することができる。
【図面の簡単な説明】
【０００８】
【図１】本実施形態の複合機の外観斜視図の一例である。
【図２】本体からの操作部の取り外しと取り付けを説明する図の一例である。
【図３】複合機のハードウェア構成の一例を示す図である。
【図４】複合機が有する機能をブロック状に示す機能ブロック図の一例である。
【図５】操作部と本体の間の無線通信が接続状態において、本体からの距離により操作部が表示する画面を説明する図の一例である。
【図６】操作部と本体の間の無線通信が切断状態において、本体からの距離により操作部が表示する画面を説明する図の一例である。
【図７】操作部が無線通信の通信状態に応じて画面を切り替える手順を示すフローチャート図の一例である。
【図８】ガイド表示Ｇ１の一例を示す図である。
【図９】通常画面の一例を示す図である。
【図１０】ガイド表示Ｇ２の一例を示す図である。
【図１１】ガイド表示Ｇ３の一例を示す図である。
【図１２】ガイド表示Ｇ４の一例を示す図である。
【図１３】ガイド表示Ｇ５の一例を示す図である。
【図１４】接続ボタンが押下された後の操作部の処理を説明するフローチャート図の一例である。
【図１５】操作部が本体をスキャンする手順を示すシーケンス図の一例である。
【図１６】操作部と本体が接続する際のシーケンス図の一例である。
【発明を実施するための形態】
【０００９】
以下、本発明を実施するための形態の一例として、複合機と複合機が行う情報表示方法について図面を参照しながら説明する。
【００１０】
＜用語について＞
着脱可能とは、操作部が情報処理装置に対して装着された（設置された）状態と、取り外された状態とを取り得ることをいう。着脱には工具を要しても要さなくてもよい。また、本体１０と接している必要はなく、単に近くのケースに置かれた状態でも装着された状態という場合がある。
【００１１】
通信状態とは操作部がどのような状態で通信しているか又は通信していないかをいう。本実施形態では、電波強度又は距離によりこの状態が判断される。電波強度又は距離の他、本体の移動状態（速度、加速度等）、姿勢（ユーザが操作できる状態の姿勢であるか）、等を含めてもよい。
【００１２】
通信状態に応じた情報は、操作部がその通信状態の場合にユーザに提供されることが有用な情報であればよい。本実施形態では、接続状態又は接続状態のどちらか、機能がロック中であること、無線通信の接続方法等が表示される。情報は画面、コンテンツ、メニュー、ＵＩなどと呼ばれてよい。
【００１３】
機能のロックとは、少なくともユーザが操作部２０を介して本体１０を操作できなくなることをいう。操作部２０に対する操作も全て又は一部が制限されていてよい。機能がロックされた状態で操作部２０が表示する画面をロック画面という場合がある。
【００１４】
＜構成例＞
図１は、本実施形態の複合機１００の外観斜視図の一例である。複合機１００は、主に本体１０と操作部２０を有している。本体１０は複合機１００が有する機能を実現するための稼働部を含み、操作部２０はユーザに情報を表示しまたユーザの操作を受け付けるユーザインタフェースを提供する。
【００１５】
本体１０は、大きく分けると、スキャナ部１０１とプリンタ部１０２を有している。スキャナ部１０１は、コンタクトガラス上の原稿を光学的に読み取って画像データを生成する。図１では、コンタクトガラス上にＡＤＦ１０３（Ａｕｔｏ  Ｄｏｃｕｍｅｎｔ  Ｆｅｅｄｅｒ）が搭載されている。ＡＤＦ１０３は自動的に原稿を紙送りする装置である。
【００１６】
プリンタ部１０２は、ＰＣ（Personal Computer）からの印刷データ又はスキャナ部１０１が読み取った画像データにガンマ変換などの画像処理を施して、電子写真方式やインクジェット方式などの画像形成方式で用紙などの記録媒体に画像を印刷する。あるいは、ファクスで受信した画像データを記録媒体に印刷する。
【００１７】
プリンタ部１０２は、１つ以上の用紙トレイ１０４と手差しトレイ１０５を有する。使用時の手差しトレイ１０５は本体１０の右側に開放される。また、プリンタ部１０２はスキャナ部１０１の下方に排紙トレイ１０６を有し、画像が形成された記録媒体は排紙トレイ１０６に排紙される。
【００１８】
図１では、本体１０の手前に操作部２０が脱着可能に取り付けられている。図示する操作部２０の取り付け位置はあくまで一例であって、本体１０の側面、又はスキャナ部１０１の周辺等に取り付けられてもよい。また、複合機１００が複数の操作部２０を有していてもよい。この場合、全ての操作部２０が本体１０から取り外し可能でもよいし、一部の操作部２０が本体１０に固定されていてもよい。
【００１９】
なお、複合機１００が"複合"という文字を含むのは、複数の機能を有する場合があるためである。すなわち、複合機１００は、用紙などの印刷媒体に画像を形成するプリンタ機能、スキャナとプリンタ機能により実現されるコピー機能、スキャナと電話回線（又はネットワーク）により実現されるＦＡＸ機能、データを蓄積する機能等を有している。また、複合機１００は、これらの機能を反映して、画像形成装置、プリンタ、複写機、コピー機、ＦＡＸ装置などと呼ばれていてもよい。なお、複合機１００はＭＦＰ（Multi−Function Peripherals）と呼ばれる場合がある。
【００２０】
しかしながら、本実施形態の複合機１００は本体１０から操作部２０を着脱可能な情報処理装置の一例に過ぎず、複合機１００が複数の機能を有することは必須でない。また、プリンタ機能、コピー機能、スキャナ機能、ファクス機能、又は、データを蓄積する機能の１つ以上を有すれば、他の機能を有していなくてもよい。
【００２１】
また、電子黒板、プロジェクタ、テレビ会議端末等の機器でも、本体１０から操作部２０を着脱可能な機器があれば、本実施形態を適用できる。
【００２２】
図２は、本体１０からの操作部２０の取り外しと取り付けを説明する図の一例である。図２（ａ）は本体１０に操作部２０が取り付けられた状態を示し、図２（ｂ）は操作部２０が取り外された本体１０の取り付け部を示す。本体１０に操作部２０が取り付けられた状態はどのように実現されてもよいが、例えば、本体１０に形成された溝や凹部に操作部２０をはめ込む形態、本体１０の棒状部材を操作部２０の孔部に際込む形態、本体１０と操作部２０をマグネットで固定する形態、等がある。また、道具がなくても脱着が可能な状態で取り付けられていることが好ましいが、ネジ、ドライバ等で取り付けられた状態が維持されてもよい。図２（ｂ）では本体１０に設けられた凹部２０１に操作部２０がはめ込まれると共に、マグネットで固定されている。凹部２０１の少なくとも一辺には弾性部材で凹部２０１の中央に向けて付勢された突起部２０２が形成されており、操作部２０が凹部２０１に取り付けられると突起部２０２が中央とは反対側に押し戻されると共に弾性部材の付勢力が操作部２０を保持する。
【００２３】
また、凹部２０１又はその周囲に、操作部２０が本体１０と有線接続するための接続Ｉ/Ｆ１６（メス）が形成されている。操作部２０が凹部２０１に取り付けられる場合、操作部２０の接続Ｉ/Ｆ（オス）が接続Ｉ/Ｆ１６に挿入されることで、操作部２０と本体１０が有線接続される。したがって、操作部２０と本体１０が有線接続されると本体１０における操作部２０が位置決めされる。また、有線接続におり、本体１０に操作部２０が取り付けられていることが確認される。
【００２４】
なお、操作部２０と本体１０のオス・メスは逆でもよいし、接続Ｉ/Ｆ１６の配置や形状はどのようなものでもよい。
【００２５】
操作部２０は充電可能なバッテリーで動作するため、有線接続されると接続Ｉ/Ｆ１６を介して、本体から操作部２０に充電される。あるいは、充電はワイヤレスで行われてもよい。ワイヤレス充電の方式には、電磁誘導方式と磁気共鳴方式があるが、どのような方式が採用されてもよい。
【００２６】
なお、図２で説明した本体１０と操作部２０の取り付け方法はあくまで一例に過ぎず、本実施形態では本体１０と操作部２０が脱着可能であればよい。
【００２７】
<<複合機>>
図３は、複合機１００のハードウェア構成の一例を示す図である。図３に示すように、複合機１００は、本体１０と、操作部２０と、を備える。本体１０と操作部２０は、有線通信と無線通信のいずれであっても相互に通信可能である。例えば、操作部２０が本体１０に取り付けられた状態では有線で通信すると共に充電し、操作部２０が本体１０に取り付けられていない状態では無線で通信する。
【００２８】
なお、本体１０は、操作部２０で受け付けた操作に応じた動作を行うことができる。また、本体１０は、クライアントＰＣ（パーソナルコンピュータ）等の外部装置とも通信可能であり、外部装置から受信した指示に応じた動作を行うこともできる。
【００２９】
次に、本体１０のハードウェア構成について説明する。図３に示すように、本体１０は、ＣＰＵ（Central  Processing  Unit）１１と、ＲＯＭ(Read  Only  Memory)１２と、ＲＡＭ(Random  Access  Memory)１３と、ＨＤＤ（Hard  Disk  Drive）１４と、通信Ｉ/Ｆ（Interface）１５と、接続Ｉ/Ｆ１６と、エンジン部１７と、無線通信Ｉ/Ｆ１９とを備え、これらがシステムバス１８を介して相互に接続されている。説明の便宜上、図３では、本体１０はＨＤＤ１４を有している構成を例に挙げて説明したが、例えばＨＤＤ１４を有しておらず、十分な記憶領域を確保できない構成もあり得る。
【００３０】
ＣＰＵ１１は、本体１０の動作を統括的に制御する。ＣＰＵ１１は、ＲＡＭ１３をワークエリア（作業領域）としてＲＯＭ１２又はＨＤＤ１４等に格納されたプログラムを実行することで、本体１０全体の動作を制御し、上記したコピー機能、スキャナ機能、ファクス機能、プリンタ機能などの各種機能を実現する。
【００３１】
通信Ｉ/Ｆ１５は、ネットワーク８と接続するためのインタフェースである。接続Ｉ/Ｆ１６は、通信路３００を介して操作部２０と通信するためのインタフェースである。例えばＵＳＢ（Universal  Serial  Bus）規格などで通信すれば、通信と充電を１つのケーブルで行うことができる。
【００３２】
無線通信Ｉ/Ｆ１９は、主に、無線通信により操作部２０と通信するための通信装置（通信モジュール、通信ユニット、通信チップ等）である。通信規格としては、例えば、Bluetooth（登録商標）、Bluetooth Low Energy（登録商標）、ZigBee（登録商標）、無線ＬＡＮ（Ｗｉ−Ｆｉ）、無線ＬＡＮのアドホックモード、Ｗｉ−Ｆｉダイレクト、ＮＦＣ（Near Field Communication）、ＲＦＩＤなどがある。あるいは、独自規格の無線通信でもよい。
【００３３】
エンジン部１７は、コピー機能、スキャナ機能、ファクス機能、及び、プリンタ機能を実現させるための、汎用的な情報処理及び通信以外の処理を行うハードウェアである。例えば、原稿の画像をスキャンして読み取るスキャナ、用紙等のシート材への印刷を行うプロッタ（画像形成部）、ファクス通信を行うファクス部などを備えている。更に、印刷済みシート材を仕分けるフィニッシャや、原稿を自動給送するＡＤＦ（自動原稿給送装置）のような特定のオプションを備えることもできる。画像形成方式は電子写真方式でもインクジェット方式でもよい。
【００３４】
次に、操作部２０のハードウェア構成について説明する。図３に示すように、操作部２０は、ＣＰＵ２１と、ＲＯＭ２２と、ＲＡＭ２３と、フラッシュメモリ２４と、通信Ｉ/Ｆ２５と、接続Ｉ/Ｆ２６と、操作パネル２７と、無線通信Ｉ/Ｆ２９とを備え、これらがシステムバス２８を介して相互に接続されている。これらは本体１０と同様の機能を果たすものであるか、本体１０と相違があるとしても本実施形態の説明の上では支障がないものとする。
【００３５】
なお、操作パネル２７は液晶ディスプレイや有機ＥＬディスプレイなどのフラットパネルディスプレイであり、タッチパネルを一体に備えることが好ましい。操作パネル２７は表示装置及び入力装置として利用される。操作パネル２７はソフトキーを表示してその押下を受け付ける。また、操作パネル２７はハードキーを有していてもよい。
【００３６】
説明の便宜上、図３では、操作部２０はフラッシュメモリ２４を有している構成を例に挙げて説明したが、例えばフラッシュメモリ２４を有していない構成もあり得る。
【００３７】
＜機能について＞
図４は、複合機１００が有する機能をブロック状に示す機能ブロック図の一例である。
＜＜操作部＞＞
操作部２０は、表示部３１、制御部３２、記憶部３３、無線通信部３４、及び、有線通信部３５を有する。操作部２０が有するこれらの機能は、図３に示された各構成要素のいずれかが、フラッシュメモリ２４からＲＡＭ２３に展開されたプログラムに従ったＣＰＵ２１からの命令により動作することで実現される機能又は手段である。このプログラムは、プログラム配信用のサーバから配信されるか又は記憶媒体に記憶された状態で配布される。なお、記憶部３３は図３に示されたＲＯＭ２２、ＲＡＭ２３、及びフラッシュメモリ２４のいずれか１つ以上に構築される。
【００３８】
表示部３１は、ユーザが操作する各種の画面を操作パネル２７に表示することでユーザインタフェースを提供する。また、表示部３１はタッチパネルを介して操作部２０に対するユーザの操作を受け付ける。後述するように表示部３１は、本体１０と操作部２０との通信状態に応じて種々の画面を表示する。
【００３９】
制御部３２は無線通信部３４及び有線通信部３５を制御すると共に、これらの通信状態に応じた画面を決定し、この画面の表示を表示部３１に指示する。制御部３２は画面の表示関する全体的な制御を行う。無線通信部３４は本体１０と無線通信を確立し、情報を送信したり受信したりする。有線通信部３５は、操作部２０が本体１０に取り付けられた場合に、本体１０と操作部２０を接続する有線ケーブルを介して、情報を送信したり受信したりする。有線通信部３５は電圧の変化などにより有線ケーブルが本体１０に接続されたことを検出する機能を有している。制御部３２は有線ケーブルが接続されている場合は有線通信部３５に通信させ、有線ケーブルが接続されていない場合は無線通信部３４に通信させる。なお、記憶部３３には表示部３１が表示する画面に関する情報が記憶されている。
【００４０】
＜＜本体＞＞
本体１０は、操作部取付部４１、制御部４２、無線通信部４３、及び、有線通信部４４を有する。本体１０が有するこれらの機能は、図３に示された各構成要素のいずれかが、ＨＤＤ１４からＲＡＭ１３に展開されたプログラムに従ったＣＰＵ１１からの命令により動作することで実現される機能又は手段である。このプログラムは、プログラム配信用のサーバから配信されるか又は記憶媒体に記憶された状態で配布される。
【００４１】
操作部取付部４１は操作部２０が取り付けられた状態を維持する図２のような構成と、本体１０側で操作部２０が取り付けられたことを検出する機能を有する。例えば、操作部２０が当接するとＯＮとなり、取り外されるとＯＦＦになる突起部２０２のような機械的なスイッチにより検出できる。
【００４２】
制御部４２は本体１０の全体的な機能を制御する。有線通信部４４が有線ケーブルの接続を検出した場合、制御部４２は有線通信部４４に操作部２０と通信させる。また、制御部４２は有線ケーブルが接続されていない場合は無線通信部４３に通信させる。無線通信部４３は、例えば、パッシブ・スキャンを定期的に行うことで、操作部２０から発見が可能になっている。
【００４３】
＜無線通信の通信状態に応じた表示制御＞
図５、図６を用いて、無線通信の通信状態に応じた操作部２０の表示制御について説明する。以下では、無線通信で接続状態の場合と、切断状態の場合をそれぞれ説明する。
【００４４】
図５は、操作部２０と本体１０の間の無線通信が接続状態において、本体１０からの距離により操作部２０が表示する画面を説明する図の一例である。
【００４５】
（Ａ−１）操作部２０を把持したユーザが操作部２０を本体１０から徐々に離していくと、操作部２０による本体１０の操作に適さない距離Ｌ１（第一の距離）以上離れた時に、操作部２０の表示部３１はガイド表示Ｇ１（ロック画面）を表示する。ロック画面とは上記のように機能のロック時に表示される画面であり、操作部２０に対する全て又は一部の操作が制限されることで、本体１０を使用できなくなる（又は制限される）画面である。また、操作部２０による本体１０の操作に適さない距離Ｌ１とは例えば電波が届かないおそれがある距離、換言すると電波強度が後述する閾値２より小さくなる距離である。また、「ガイド」とは「案内する」という意味であり、ガイド画面はユーザの操作を案内する画面である。
【００４６】
無線通信が接続状態であっても、ロックにより操作部２０はユーザの操作を受け付けなくなり、ユーザは本体１０を使用できなくなる。また、表示部３１は、ガイド表示Ｇ１で本体１０に近づいて使用するようユーザに促すメッセージを表示する。このように、ロックすることで、盗難時のデータ漏洩の防止や紛失の防止が可能になる。また、メッセージを表示することで、ユーザに操作部２０を本体１０に近づけさせることができる。すなわち、距離Ｌ１以上離れると電波強度が小さくなるため、操作中に切断される可能性が生じるが、それを低減できる。ガイド表示Ｇ１（ロック画面）の一例を図８に示す。
【００４７】
（Ａ−２）ユーザが操作部２０を本体１０に近づけていき、操作部２０による本体１０の操作に適した距離Ｌ２（＜Ｌ１）未満に入ると、操作部２０の表示部３１はガイド表示Ｇ１を非表示にして、通常画面３０１（例えばホーム画面）を表示する（距離Ｌ２は第二の距離の一例）。したがって、ユーザが操作部２０から本体１０を使用できる状態になる。通常画面３０１の一例を図９に示す。距離Ｌ２は例えば電波が安定して届く距離、電波強度が閾値２より十分に大きくなる距離である。
【００４８】
（Ａ−３）ユーザが操作部２０を本体１０に更に近づけていき、操作部２０を本体１０にユーザが取り付けると判断できる距離Ｌ３（＜Ｌ２）未満の距離になると、操作部２０の表示部３１はガイド表示Ｇ２（取付ガイド画面）を表示する（距離Ｌ３は第三の距離の一例）。取付ガイド画面とは操作部２０を本体１０に取り付けるための取付方法が表示される画面である。すなわち、操作部２０が本体１０から距離Ｌ３未満に接近した場合、ユーザが本体１０に操作部２０を取り付けたいのだと判断できるため、それをサポートするガイド表示Ｇ２が表示される。操作部２０が本体１０に取り付けられると、表示部３１はガイド表示Ｇ２を非表示にして、再び通常画面３０１を表示する。これにより、使用可能な状態となる。距離Ｌ３は例えば電波が非常に強い距離、換言すると電波強度が閾値１より大きくなる距離である。ガイド表示Ｇ２の一例を図１０に示す。
【００４９】
このように複合機１００は電波強度（すなわち距離）に応じてユーザに適切な操作を促すことができる。
【００５０】
なお、図７にて説明するように、距離Ｌ１〜Ｌ３は電波強度で判断されるため距離Ｌ１〜Ｌ３は一定であるとは限らない。距離Ｌ１〜Ｌ３の具体値は適宜、設定される。また、ユーザが距離Ｌ１〜Ｌ３を任意に設定できてもよい。一例として距離Ｌ１を１０〜２０メートル、距離Ｌ２を５〜１５メートル、距離Ｌ３を０．５〜２メートル程度にすること考えられる。
【００５１】
図６は、操作部２０と本体１０の間の無線通信が切断状態において、本体１０からの距離により操作部２０が表示する画面を説明する図の一例である。
【００５２】
（Ｂ−１）操作部２０を把持するユーザが本体１０から離れていくとやがて、本体１０と操作部２０の無線通信が切断される。電波は届いているがノイズなどにより通信できない状態になったことにより本体１０又は操作部２０が切断する場合と、電波強度が一定値以下になったため、無線通信Ｉ/Ｆ１９，２９が自動的に切断する場合とがある。図６ではこの距離をＬMAXとした。
【００５３】
なお、図５で説明したガイド表示Ｇ１（ロック画面）が表示されてから所定時間が経過した場合も無線通信が切断される。
【００５４】
無線通信が切断されると、操作部２０の表示部３１はガイド表示Ｇ３（ロック画面）を表示する。このロック画面は、ガイド表示Ｇ１のロック画面と同様に、ユーザの操作を受け付けないようにするための画面である。したがって、無線通信が切断状態であるのと、ロック画面とにより、ユーザは本体１０を使用できなくなる。ただし、ガイド表示Ｇ１のロック画面とメッセージなどが異なる。
【００５５】
ガイド表示Ｇ３（ロック画面）で表示されるメッセージは、本体１０に近づくことで操作部２０を本体１０に無線通信で接続させるようユーザに促す旨である。切断状態の場合にユーザの操作を制限でき、ユーザに適切な操作を促すことができる。なお、メッセージには、接続すべき本体１０の名前等の情報が含まれることが好ましい。ガイド表示Ｇ３（ロック画面）の一例を図１１に示す。
【００５６】
（Ｂ−２）ユーザが操作部２０を本体１０に近づけ、無線通信に好適な距離Ｌ２未満の距離になった時、表示部３１はガイド表示Ｇ３を非表示にして、操作部２０と本体１０が接続可能な旨を含むガイド表示Ｇ４（接続ボタン画面）を操作パネル２７に表示する。ガイド表示Ｇ４には、例えば、操作部２０と本体１０とを無線通信で接続させるための接続ボタンが表示される。ユーザが接続ボタンを押下すると、表示部３１がこれを受け付け無線通信が再開される。ガイド表示Ｇ４（接続ボタン画面）の一例を図１１に示す。
【００５７】
（Ｂ−３）ユーザが操作部２０を更に本体１０に近づけ、本体１０に対し距離Ｌ３未満に入ると、操作部２０の表示部３１は操作パネル２７にガイド表示Ｇ５（取付ガイド画面）を表示する。ガイド表示Ｇ５（取付ガイド画面）は接続ボタンが押下されたか否かに関わらず、本体１０に対し距離Ｌ３未満に入ると表示される。本体１０は無線通信で使用されてもよいが、本体１０に直接、取り付けて使用してもよいためである。ユーザが操作部２０を本体１０に取り付けると、表示部３１はガイド表示Ｇ５（取付ガイド画面）を非表示にして、通常画面３０１を表示する。
【００５８】
図５，図６で説明したように、接続状態か切断状態かにより、操作部が適切な情報を表示するので、ユーザは接続状態と切断状態のそれぞれで適切な操作を行うことができる。
【００５９】
＜制御手順＞
図７は、操作部２０が無線通信の通信状態に応じて画面を切り替える手順を示すフローチャート図の一例である。図７の処理は、例えば定期的に実行される。
【００６０】
操作部２０の制御部３２は、まず操作部２０が本体１０に取り付けられているか否かを判断するために、有線通信部３５から有線ケーブルの着脱状態を取得する（Ｓ１）。ここでの判断は、単に有線ケーブルが物理的に接続されているか否かを判断すればよい（通信しているかどうかは判断しなくてよい）。
【００６１】
制御部３２は、ステップＳ１の着脱状態に基づいて、本体１０と操作部２０が分離しているか否かを判断する（Ｓ２）。分離しているとは本体１０から操作部２０が取り外されていることをいう。分離していない場合は（Ｓ２のＮｏ）、制御部３２は、更に有線ケーブルを介して有線通信が接続状態か否かを判断する（Ｓ１１）。例えば、操作部２０の有線通信部３５からの送信に対し本体１０の有線通信部４４が何らかの応答をするかどうかを判断する。つまり、実際に通信しているかどうかを判断する。
【００６２】
ステップＳ１１の判断がＹｅｓの場合、操作部２０は本体１０に取り付けられ有線で通信している状態なので図７の処理は終了する。
【００６３】
ステップＳ１１の判断がＮｏの場合、制御部３２は有線通信部３５に有線ケーブルを介した有線通信を開始させる（Ｓ１２）。ただし、ＵＳＢのように有線ケーブルの着脱が自動的に認識される場合は、ステップＳ１２の明示的な接続処理は不要である。
【００６４】
また、この時、機能がロック中か否かを制御部３２が判断する（Ｓ１３）。有線ケーブルで接続中に機能がロック中であるのは例えばガイド表示Ｇ４が表示されていたケースである。
【００６５】
ステップＳ１３の判断がＹｅｓの場合、制御部３２はガイド表示Ｇ４を非表示にして機能のロックも解除する（Ｓ１４）。
【００６６】
次に、制御部３２は距離Ｌ３未満で表示されるガイド表示Ｇ３，Ｇ５を表示しているか否かを判断する（Ｓ１５）。ガイド表示Ｇ３，Ｇ５を表示中かどうかは制御部３２により管理されている。
【００６７】
ステップＳ１５の判断がＹｅｓの場合、制御部３２はガイド表示Ｇ３，Ｇ５を非表示にする（Ｓ１６）。これにより、操作部２０と本体１０が接続されるとガイド表示Ｇ３，Ｇ５を非表示にできる。
【００６８】
ステップＳ１５の判断がＮｏの場合、操作パネル２７は通常画面を表示しているので図７の処理は終了する。
【００６９】
ステップＳ２に戻り、本体１０と操作部２０が分離されている場合は（Ｓ２のＹｅｓ）、操作部２０の制御部３２は無線通信部３４から接続状態と無線パケット受信時における電波強度値を取得する（Ｓ３）。電波強度値は受信時に検出されるRSSI（Received Signal Strength Indicator）という指標が知られている。
【００７０】
そして、制御部３２は無線通信が接続状態か否かを判断する（Ｓ４）。これは、何らかのデータの送受信が可能かどうかにより判断できる。
【００７１】
ステップＳ４の判断がＹｅｓの場合（本体１０と操作部２０が無線通信で接続中である場合）、制御部３２は電波強度値が閾値１よりも大きいか否かを判断する（Ｓ５）。閾値１は距離Ｌ３の電波強度値に相当する。
【００７２】
ステップＳ５の判断がＹｅｓの場合、制御部３２は機能ロック中か否かを判断する（Ｓ６）。機能ロック中となっているのは例えば過去に距離Ｌ３以上になっていた場合である。機能ロック中かどうかは制御部３２により管理されている。
【００７３】
ステップＳ６の判断がＹｅｓの場合、距離Ｌ３未満なので、制御部３２は機能のロックを解除する（Ｓ７）。すなわち、表示部３１はガイド表示Ｇ１（ロック画面）を非表示にする。
【００７４】
制御部３２は操作部２０が操作に適した本体１０との距離にあると判断し、表示部３１にガイド表示Ｇ２（取付ガイド画面）を表示させる（Ｓ８）。
【００７５】
ステップＳ５で、電波強度値が閾値１以下の場合は（Ｓ５のＮｏ）、制御部３２は電波強度値が閾値２より小さいか否かを判断する（Ｓ３１）。閾値２は距離Ｌ１に相当する距離である。
【００７６】
ステップＳ３１の判断がＹｅｓの場合、制御部３２は、操作部２０が本体１０から十分に遠くに離れていると判断する。
【００７７】
このため、制御部３２は機能ロック中か否かを判断する（Ｓ３２）。機能ロック中でない場合（Ｓ３２のＮｏ）、制御部３２はまず、時刻１（変数）に現在時刻を設定する（Ｓ３３）。所定時間の経過により無線通信を切断するためである。
【００７８】
また、制御部３２は操作部の機能をロックする（Ｓ３４）。また、本体１０に近づいて使用するよう促すガイド表示Ｇ１（ロック画面）を表示部３１に表示させる（Ｓ３５）。
【００７９】
ステップＳ３２で機能ロック中であると判断された場合は、制御部３２は時刻１から所定時間が経過したか否かを判断する（Ｓ３６）。
【００８０】
所定時間が経過している場合（Ｓ３６のＹｅｓ）、ユーザが操作部２０を使用していないと制御部３２が判断し、制御部３２は無線通信を切断する（Ｓ３７）。操作部２０が使用されていない場合に無線通信を切断することで、操作部２０の電力消費を抑制し、本体の通信用リソースを開放できる。
【００８１】
通信状態が切断状態になったので、制御部３２は、本体１０に近づいて接続するよう促すガイド表示Ｇ３（ロック画面）を表示部３１に表示させる（Ｓ３８）。
【００８２】
ステップＳ３１で電波強度値が閾値２以上の場合（Ｓ３１のＮｏ）、制御部３２は操作部２０が本体１０から好適な範囲内にあると判断する。そこで、制御部３２は機能ロック中か否かを判断する（Ｓ４１）。
【００８３】
ステップＳ４１の判断がＹｅｓの場合、制御部３２は機能のロックを解除する（Ｓ４２）。また、制御部３２は、ガイド表示Ｇ１を表示中か否かを判断する（Ｓ４３）。
【００８４】
ステップＳ４３の判断がＹｅｓの場合、制御部３２はガイド表示Ｇ１を非表示にする（Ｓ４４）。これにより、通常画面３０１が表示され、ユーザが操作部２０を操作して本体１０を使用できるようになる。
【００８５】
ステップＳ４において、操作部２０が本体１０と無線通信で接続されていない場合、制御部３２は機能ロック中か否かを判断し（Ｓ５１）、機能ロック中でない場合は機能をロックする（Ｓ５２）。切断状態では操作部２０から本体１０を使用できないためである。
【００８６】
次に、制御部３２は、電波強度値が閾値１よりも大きいか否かを判断する（Ｓ５３）。電波強度値が閾値１よりも大きい場合（Ｓ５３のＹｅｓ）、制御部３２は、操作部２０が本体１０に十分に近い距離にあると判断し、ガイド表示Ｇ５（取付ガイド画面）を表示部３１に表示させる（Ｓ５４）。
【００８７】
電波強度値が閾値１以下の場合（Ｓ５３のＮｏ）、制御部３２は電波強度値が閾値２より小さいか否かを比較する（Ｓ５５）。
【００８８】
電波強度値が閾値２よりも小さい場合（Ｓ５５のＹｅｓ）、制御部３２は、操作部２０が本体１０から十分に遠くに離れていると判断し、本体１０に近づいて接続するよう促すガイド表示Ｇ３を表示部３１に表示させる（Ｓ５６）。
【００８９】
電波強度値が閾値２以上の場合（Ｓ５５のＮｏ）、制御部３２は、操作部２０が本体１０から好適な範囲内にあると判断し、ガイド表示Ｇ４を表示部３１に表示させる（Ｓ５７）。
【００９０】
制御部３２は、操作パネル２７に表示される情報を制御するため、図７の処理を定期的に実行する。定期的に実行する代わりに、有線通信部３５が着脱状態の変化イベントを制御部３２に通知したり、無線通信部３４が電波強度を含む無線パケット受信イベントを制御部３２に通知したりすることで、イベント駆動で同様の制御を行うよう構成してもよい。
【００９１】
＜画面の一例＞
以下では、操作部２０が表示するガイド表示Ｇ１〜５について説明する。
【００９２】
＜＜ガイド表示Ｇ１＞＞
図８は、ガイド表示Ｇ１の一例を示す。上記のように、ガイド表示Ｇ１は、無線通信が接続中であり、かつ、電波強度値が閾値２より小さい場合に操作パネル２７に表示される画面である。
【００９３】
ガイド表示Ｇ１には「ＬＯＣＫＥＤ」という文字４０１、「本体１０から離れたので機能をロックしました。機能を有効にするには、本体１０に近づくか、本体１０に取り付けて下さい。」というメッセージ４０２、及び、本体情報４０３が表示される。
【００９４】
すなわち、ガイド表示Ｇ１を表示する際、操作部２０が本体１０から十分離れているので、制御部３２が機能をロックしている。そこで、機能がロックされている旨と、本体１０に近づいて使用するよう促すメッセージが表示される。これにより、ユーザは機能がロックされたこと及びロックを解除するにはどうすればよいかを把握できる。
【００９５】
また、本体情報４０３には、複合機１００の識別情報として、複合機１００の名称とＭＡＣアドレスが表示されている。これらにより、ユーザは操作部２０をどの複合機１００の本体１０に近づければよいかを判断できる。複合機１００の名称は型番でもよいし、製造番号などでもよい。また、ＭＡＣアドレスはＩＰアドレス、ＦＡＸ番号等でもよい。これにより、ユーザは操作部２０をどの本体１０に近づければよいかを把握できる。
【００９６】
＜＜通常画面＞＞
図９は、通常画面３０１の一例を示す。操作部２０と本体１０が接続状態で、更に、操作部２０が本体１０から好適な範囲内にある場合、操作部２０は通常画面３０１を表示して使用可能な状態となる。
【００９７】
通常画面３０１は、複合機１００が有するコピー、プリンタ、ファクス、スキャナ、データ蓄積などの機能によって異なるし、各機能が同じでも状況によって表示される画面は異なる。図９はデータ蓄積機能の通常画面３０１であり、蓄積されているいくつかの文書が表示されている。ただし、あくまで一例である。
【００９８】
＜＜ガイド表示Ｇ２＞＞
図１０はガイド表示Ｇ２の一例を示す図である。ガイド表示Ｇ２は、無線通信が接続状態、かつ、電波強度値が閾値１より大きい場合に操作部２０が表示する画面である。
【００９９】
ガイド表示Ｇ２は、本体１０のイメージ図４１１、操作部２０のイメージ図４１２、操作部２０の取付位置４１３、取付方向４１４、及び、閉じるボタン４１５を有する。操作部２０が本体１０の十分に近くにあるので、ユーザが操作部２０を取り付けたいと判断されるため、このような取付ガイドが表示される。ユーザはガイド表示Ｇ２を見て、操作部２０をどこにどのように取り付ければよいかを確認できる。
【０１００】
なお、ガイド表示Ｇ２は閉じるボタン４１５の押下により消すことができる。この場合、図９のような通常画面３０１が表示される。また、ガイド表示Ｇ２はロック中の画面でないので、操作ボタン４１６が表示される。
【０１０１】
＜＜ガイド表示Ｇ３＞＞
図１１は、ガイド表示Ｇ３の一例を示す。上記のように、ガイド表示Ｇ３は、無線通信が切断状態、かつ、電波強度値が閾値２より小さい場合に操作部２０が表示する画面である。
【０１０２】
ガイド表示Ｇ３は「ＤＩＳＣＯＮＮＥＣＴＥＤ」という文字４２１、「本体１０から切断されました。本体１０に近づいて接続ボタンを押してください」というメッセージ４２２、及び、本体情報４２３が表示される。
【０１０３】
すなわち、ガイド表示Ｇ３が表示される際は切断中なので、その旨（ＤＩＳＣＯＮＮＥＣＴＥＤ）と本体１０に近づいて接続するよう促すメッセージ４２２が表示される。ユーザは無線通信されていないこと、及び、接続するにはどうすればよいかを把握できる。なお、本体情報４２３についてはガイド表示Ｇ１と同様でよい。
【０１０４】
ガイド表示Ｇ３は接続ボタン４２４を有するが、ガイド表示Ｇ３の接続ボタン４２４は無効状態である。無効状態とはユーザが押下してもこれを受け付けないことをいう。図１１の接続ボタン４２４は低輝度で表示されている。したがって、ガイド表示Ｇ３の接続ボタンは非表示にされていてもよい。接続ボタン４２４が無効状態なのは、操作部２０と本体１０との距離が遠いため無線通信が困難なためである。低輝度であることで、ユーザは接続ボタン４２４を押下できないことを把握できる。
【０１０５】
なお、ガイド表示Ｇ３では、操作部２０が本体１０から切断されている状態なので、機能がロックされている。
【０１０６】
＜＜ガイド表示Ｇ４＞＞
図１２は、ガイド表示Ｇ４の一例を示す。上記のように、ガイド表示Ｇ４は、無線通信が切断中、かつ、操作部２０が本体１０から好適な範囲内にある場合に操作部２０が表示する画面である。
【０１０７】
ガイド表示Ｇ４は「ＤＩＳＣＯＮＮＥＣＴＥＤ」という文字４３１、「本体１０から切断されました。接続ボタンを押してください」というメッセージ４３２、及び、本体情報４３３が表示される。
【０１０８】
すなわち、ガイド表示Ｇ４を表示する際は切断中なので、その旨と接続するよう促すメッセージが表示される。ユーザは無線通信されていないこと、及び、接続するにはどうすればよいかを把握できる。なお、本体情報４３３についてはガイド表示Ｇ１と同様でよい。
【０１０９】
ガイド表示Ｇ４は接続ボタン４３４を有するが、ガイド表示Ｇ４の接続ボタン４３４は有効状態である。有効状態とはユーザが押下するとこれを受け付けることをいう。接続ボタン４３４が有効状態なのは、操作部２０と本体１０との距離が近いため無線通信が可能だからである。ガイド表示Ｇ４の接続ボタン４３４はガイド表示Ｇ３の接続ボタンよりも高輝度で表示される。ユーザは接続ボタン４３４が有効であることを把握できる。したがって、操作部２０が本体１０から好適な範囲内に入ったらユーザは接続ボタン４３４を押下するという簡単な操作ですぐに接続できる。
【０１１０】
なお、ガイド表示Ｇ４では、操作部２０が本体１０から切断されている状態なので、機能がロックされている。
【０１１１】
＜＜ガイド表示Ｇ５＞＞
図１３はガイド表示Ｇ５の一例を示す図である。ガイド表示Ｇ５は、無線通信が切断中、かつ、電波強度値が閾値１より大きい場合に操作部２０が表示する画面である。
【０１１２】
ガイド表示Ｇ５は、本体１０のイメージ図４１１、操作部２０のイメージ図４１２、操作部２０の取付位置４１３、取付方向４１４、及び、閉じるボタン４１５を有する。操作部２０が本体１０の十分に近くにあるので、ユーザが操作部２０を取り付けたいと判断され、ガイド表示Ｇ５（取付ガイド画面）が表示される。ユーザはガイド表示Ｇ５を見て、操作部２０をどこにどのように取り付ければよいかを確認できる。
【０１１３】
なお、ガイド表示Ｇ５（取付ガイド画面）は閉じるボタン４１５の押下により非表示にすることができる。しかし、操作部２０が本体１０から切断されているので、機能がロックされている。したがって、閉じるボタン４１５が押下されると図１２のようなガイド表示Ｇ４が表示される。また、ガイド表示Ｇ４はロック中の画面なので、ガイド表示Ｇ２のような操作ボタン４１６が表示されない。
【０１１４】
＜接続ボタンが押下された際の動作＞
図１４を用いて、ガイド表示Ｇ４の接続ボタンが押下された後の操作部２０の動作を説明する。図１４は、ガイド表示Ｇ４の接続ボタンが押下された後の操作部２０の処理を説明するフローチャート図の一例である。
【０１１５】
まず、制御部３２は、無線通信部３４に対し本体１０と無線通信を接続させる（Ｓ１０１）。
【０１１６】
次に、無線通信が切断中であったため、機能がロック中である可能性が高いため、制御部３２は機能ロックかどうかを判断し（Ｓ１０２）、ロック中ならば機能ロックを解除する（Ｓ１０３）。
【０１１７】
また、制御部３２は操作ボタンを有するガイド表示Ｇ４を表示しているか否かを判断し（Ｓ１０４）、表示中の場合はガイド表示Ｇ４を非表示にする（Ｓ１０５）。
【０１１８】
こうすることで、本体１０と操作部２０が無線通信を再開し、通常画面が表示されるのでユーザは操作部２０を操作して本体１０を使用できるようになる。
【０１１９】
＜本体のスキャン＞
操作部２０は、接続ボタンが押下されると本体１０と接続するため本体１０をスキャンする。また、このスキャンは、操作部２０が電波強度を測定する際にも使用される。
【０１２０】
スキャンには、本体１０が発信した電波を操作部２０が受信するパッシブ・スキャンと、操作部２０が発信した電波に本体１０が応答するアクティブ・スキャンの２種類がある。スキャンは操作部２０と本体１０が接続されていないときにも有効なので、切断状態において操作部２０が電波強度値を測定するときに有効である。
【０１２１】
図１５は、操作部２０が本体１０をスキャンする手順を示すシーケンス図の一例である。図１５では、無線通信方式としてWi-Fiを用いた場合を説明する。
【０１２２】
S201：Wi-Fiの場合、本体１０は一定間隔でBeaconという管理フレームを送信する。操作部２０がこれを受信すると本体１０を発見し、電波強度を測定することができる。このように、操作部２０が、本体１０が発信するBeaconを受信することをパッシブ・スキャンという。
【０１２３】
S202：操作部２０が本体１０を探すためのProbe Requestをブロードキャストし、本体１０がそれに応答してProbe Responseを送信することで、操作部２０が本体１０を発見して、電波強度を測定することができる。このように、操作部２０がProbe Requestをブロードキャストすることをアクティブ・スキャンという。
【０１２４】
なお、無線通信方式として、BluetoothやZigBee等が用いられた場合は、それぞれの無線通信方式に応じて本体１０がスキャンされる。
【０１２５】
続いて、図１６を用いて操作部２０と本体１０が接続する手順を説明する。図１６は操作部２０と本体１０が接続する際のシーケンス図の一例である。図１６の処理は、スキャンにより本体１０が見つかると開始される。図１６では、無線通信方式としてWi-Fiを用いた場合を説明する。本体１０はAccess Point(AP)として動作するものとして説明する。
【０１２６】
S301：操作部２０は本体１０をスキャンにより発見した後、認証のために、Authentication を本体１０に送信する。
【０１２７】
S302：本体１０はこれに応答してAuthenticationを送信すると、認証が完了する。
【０１２８】
S303：次に、操作部２０がAssociation Requestを送信する。
【０１２９】
S304：本体１０がこれに応答して、Association Responseを送信すると、操作部２０と本体１０の接続が完了する。
【０１３０】
接続完了後は、ＤＨＣＰ（Dynamic Host Configuration Protocol）によって、本体１０が操作部２０にＩＰを割り当てる。これにより、ＩＰレイヤの通信が開始される。
【０１３１】
なお、無線通信方式として、BluetoothやZigBee等が用いられた場合は、それぞれの無線通信方式に応じて本体１０と操作部２０が接続される。
【０１３２】
＜まとめ＞
以上、説明したように、本実施形態の複合機１００は、操作部２０と本体１０の通信状態に応じて、操作パネル２７に表示される情報を変更できる。操作部２０が通信状態に対し適切な情報を表示するので操作性を向上させることができる。
【０１３３】
＜その他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０１３４】
例えば、本実施形態では複合機１００について説明したが、本体から操作部を取り外し可能で電源状態が変化する情報処理装置であれば、本実施形態を適用可能である。例えば、本体とリモコンが無線で通信するゲーム機、受像器とリモコンが無線で通信するテレビ、本体からスピーカを取り外して使用できる音響装置、本体とリモコンが無線で通信するエアコン、等にも利用できる。なお、これらの装置は情報処理装置の機能を有する。
【０１３５】
また、このような情報処理装置は情報処理システムと呼ばれていてもよく、操作部と本体が別売りされていてよい。
【０１３６】
操作部２０としては、複合機１００に着脱可能な情報処理装置に限られず、複合機とは独立に販売される汎用的な情報処理装置でもよい。例えば、タブレット、スマートフォン、ＰＣ（Personal Computer）等でもよい。
【０１３７】
また、本実施形態では、ガイド表示Ｇ１〜５の表示に電波強度値が使用されたが、距離を使用してもよい。例えば、本体１０の無線通信部４３が送信時の電波強度値を無線で操作部２０に送信する。操作部２０の制御部は、送信時の電波強度値が距離によりどのくらい減衰するかという計算式に、送信時の電波強度値と受信時の電波強度値を代入して、操作部２０と本体１０の距離を算出する。したがって、本実施形態の電波強度値は距離に置き換えることができる。
【０１３８】
また、図５と図６の説明で、距離Ｌ２、Ｌ３が共通であるとしたが、無線通信が接続状態と切断状態とで距離Ｌ２、Ｌ３は異なっていてよい。
【０１３９】
また、本実施形態では、通信状態に応じて操作部が表示する情報が変更されたが、通信状態に応じて操作部が出力する音楽が変更されてもよい。例えば、接続状態と切断状態で異なる音楽を出力したり、接続方法を音声メッセージで案内したりする。あるいは、通信状態に応じて操作部２０の振動の仕方を変更してもよい。
【０１４０】
また、図４などの構成例は、操作部２０と本体１０による処理の理解を容易にするために、主な機能に応じて分割したものである。処理単位の分割の仕方や名称によって本願発明が制限されることはない。操作部２０と本体１０の処理は、処理内容に応じて更に多くの処理単位に分割することもできる。また、１つの処理単位が更に多くの処理を含むように分割することもできる。
【０１４１】
無線通信部３４は無線通信手段の一例であり、制御部３２は情報決定手段の一例であり、表示部３１は表示制御手段の一例である。
【符号の説明】
【０１４２】
１０    本体
２０    操作部
２７    操作パネル
３１    表示部
３２    制御部
３４    無線通信部
３５    有線通信部
１００  複合機
【先行技術文献】
【特許文献】
【０１４３】
【特許文献１】特開２０１２‐１６３８８８号公報
【図１】
2019164208.tif 000003
【図２】
2019164208.tif 000004
【図３】
2019164208.tif 000005
【図４】
2019164208.tif 000006
【図５】
2019164208.tif 000007
【図６】
2019164208.tif 000008
【図７】
2019164208.tif 000009
【図８】
2019164208.tif 000010
【図９】
2019164208.tif 000011
【図１０】
2019164208.tif 000012
【図１１】
2019164208.tif 000013
【図１２】
2019164208.tif 000014
【図１３】
2019164208.tif 000015
【図１４】
2019164208.tif 000016
【図１５】
2019164208.tif 000017
【図１６】
2019164208.tif 000018